(57)【特許請求の範囲】
【請求項１】
電気部品（４６）が装着された基板（２５）（３２）と、該基板（２５）（３２）を格納する基板ケース（２６）（３３）とを備えた遊技機において、前記基板ケース（２６）（３３）に、前記基板（２５）（３２）の着脱時に開閉される開口（５５）（５６）とは異なる開口部（６８）と、ヒンジ（６９ｃ）により前記基板ケース（２６）（３３）に揺動自在に支持され且つ前記開口部（６８）を前記基板ケース（２６）（３３）の内側から開閉可能に閉鎖する蓋体（６９）と、前記基板ケース（２６）（３３）を封止する封止手段（９１）とを備え、前記開口部（６８）を、前記基板（２５）（３２）上の所定のコネクタ（４８）に対応して設け、外部コネクタ（７０）を前記基板ケース（２６）（３３）の外側から前記開口部（６８）を介して前記基板（２５）（３２）上の前記所定のコネクタ（４８）に接続可能とし、前記蓋体（６９）は、前記基板ケース（２６）（３３）を開いた状態でのみ開閉可能であって前記基板ケース（２６）（３３）を閉じた状態では前記所定のコネクタ（４８）と干渉して前記外部コネクタ（７０）を接続可能な状態まで開放できないように構成されていることを特徴とする遊技機。
【発明の詳細な説明】
【０００１】
【発明の属する技術分野】
本発明は、パチンコ機、アレンジボール機、雀球遊技機、回胴式遊技機等の遊技機に関するものである。
【０００２】
【従来の技術】
パチンコ機等の遊技機では、基板ケース内に、ＲＯＭ、その他の電子部品が装着された制御基板を格納し、この基板ケースを遊技盤の裏側の裏カバー等に装着して、制御基板側のＲＯＭ等の電子部品により遊技盤側の遊技動作を制御する電子制御方式を採用している。
【０００３】
この種の遊技機の基板ケースは、制御基板の略全体を覆うように形成されており、例えば他の制御基板等と電気的に接続するためのコネクタ部分を外部に露出させるコネクタ嵌合孔など、通常使用時に最低限必要な開口部のみが設けられている。
【０００４】
また、基板ケースには、開封時の痕跡が残るように構成された防犯用の封止手段が複数設けられ、そのうちの１個の封止手段により基板ケースを封止しておき、監督官庁等の検査機関による検査の際には、その封止手段を損壊して基板ケースを開封し、検査後に他の１個の封止手段で基板ケースを再度封止し、検査履歴を基板ケースの所要部位に記録している。
【０００５】
このような基板ケースを使用すれば、内部の制御基板を確実に保護できると共に、検査に際しての基板ケースの開封、再封止が容易であり、また封止手段の開封痕跡と検査履歴とを照合することにより、制御基板のＲＯＭ等の電子部品を交換する等の不正行為を目的とした開封の有無も容易に判断することが可能である。
【０００６】
【発明が解決しようとする課題】
従来の遊技機では、基板ケースに、他の制御基板等と接続するためのコネクタ部分に対応するコネクタ嵌合孔など、通常使用時に最低限必要な開口部のみが設けられているため、内部の制御基板を確実に保護できるという利点がある反面、例えば通常は使用しない検査用コネクタ等に外部コネクタを接続することができないため、例えば制御基板から検査用の情報を外部に取り出す場合などに対応できない問題があった。
【０００７】
もちろん、基板ケースを開放した状態であれば通常は使用しない検査用コネクタに外部コネクタを接続することも可能であるが、この場合には基板ケースを封止することができないため、不正行為防止等の点で問題がある。
【０００８】
本発明は、このような従来の問題点に鑑み、基板ケースによる基板の保護機能を犠牲にすることなく、基板ケースを閉じた状態で、通常は使用しない検査用コネクタ等に外部コネクタを接続することが可能な遊技機を提供することを目的とする。
【０００９】
【課題を解決するための手段】
本発明は、電気部品４６が装着された基板２５，３２と、該基板２５，３２を格納する基板ケース２６，３３とを備えた遊技機において、前記基板ケース２６，３３に、前記基板２５，３２の着脱時に開閉される開口５５，５６とは異なる開口部６８と、ヒンジ６９ｃにより前記基板ケース２６，３３に揺動自在に支持され且つ前記開口部６８を前記基板ケース２６，３３の内側から開閉可能に閉鎖する蓋体６９と、前記基板ケース２６，３３を封止する封止手段９１とを備え、前記開口部６８を、前記基板２５，３２上の所定のコネクタ４８に対応して設け、外部コネクタ７０を前記基板ケース２６，３３の外側から前記開口部６８を介して前記基板２５，３２上の前記所定のコネクタ４８に接続可能とし、前記蓋体６９は、前記基板ケース２６，３３を開いた状態でのみ開閉可能であって前記基板ケース２６，３３を閉じた状態では前記所定のコネクタ４８と干渉して前記外部コネクタ７０を接続可能な状態まで開放できないように構成されているものである。
【００１０】
【発明の実施の形態】
以下、本発明の実施形態を図面に基づいて説明する。図１〜図１１は本発明をパチンコ機として具現化した第１の実施形態を例示する。図１及び図２において、１は遊技機本体で、外枠２と、この外枠２に開閉自在に枢着された前枠３とを有する。前枠３には、その窓孔に対応して遊技盤４が裏側から着脱自在に装着され、また遊技盤４の前側にガラス扉５と前面板６とが開閉自在に配置されている。
【００１１】
前面板６には、発射用の遊技球を貯留する上皿７が装着されている。また、前枠３の下部には、余剰球を貯留する下皿８と、発射手段９の発射ハンドル１０とが設けられている。発射手段９は上皿７から供給される遊技球を遊技盤４の遊技領域１１へと発射するためのものである。
【００１２】
遊技盤４には、ガイドレール１２が略環状に装着されると共に、そのガイドレール１２の内側の遊技領域１１に特別図柄表示手段１３、普通図柄表示手段１４、特別図柄始動手段１５、普通図柄始動手段１６、可変入賞手段１７等の各種遊技部品が配置されている。
【００１３】
普通図柄表示手段１４は、１個又は複数個、例えば１個の普通図柄を表示可能な例えば７セグメント等の表示手段により構成され、普通図柄始動手段１６が遊技球を検出することを条件に、普通図柄が乱数制御により所定時間変動して停止するようになっている。
【００１４】
特別図柄表示手段１３は、１個又は複数個、例えば左右方向に３個の特別図柄を表示可能な例えば液晶表示手段により構成され、特別図柄始動手段１５が遊技球を検出することを条件に、各特別図柄が乱数制御により所定時間変動して停止するようになっている。
【００１５】
普通図柄始動手段１６は、例えば通過ゲートにより構成され、遊技球が通過するときに、その遊技球を検出するようになっている。なお、普通図柄始動手段１６は、遊技球が入賞する入賞手段によって構成してもよい。
【００１６】
特別図柄始動手段１５は、遊技者に有利な開状態と不利な閉状態とに変換可能な電動チューリップ等の開閉入賞手段により構成されており、普通図柄表示手段１４の変動後の停止図柄が予め定められた特定の当たり図柄を表示したことを条件に発生する遊技者に有利な特定遊技状態（所定遊技状態の一例）のときに所定時間開放するようになっている。
【００１７】
可変入賞手段１７は、いわゆるアタッカーを構成するもので、遊技者に有利な開状態と不利な閉状態とに変換可能な開閉式入賞手段により構成されており、特別図柄表示手段１３の変動後の停止図柄が予め定められた特定の大当たり図柄を表示したことを条件に発生する遊技者に有利な特別遊技状態（所定遊技状態の一例）のときに開放するようになっている。
【００１８】
前枠３の裏側には、図２に示すように、遊技盤４を裏側から押さえる裏機構板１８が開閉自在に装着されている。裏機構板１８には、遊技盤４の裏側の裏カバー１９が嵌合する開口部２０が形成され、その上側に遊技球タンク２１、タンクレール２２が、左右方向の一側に払い出し手段２３が、下側に通路ユニット２４が夫々設けられている。
【００１９】
遊技球タンク２１は、遊技球補給系から補給された遊技球を貯留して、タンクレール２２を経て払い出し手段２３側へと供給するためのものである。払い出し手段２３は、賞球の払い出し指令等があったときに、遊技球タンク２１からタンクレール２２を経て供給される遊技球（遊技媒体）を払い出すためのもので、裏機構板１８の裏側に着脱自在に装着されている。通路ユニット２４は、払い出し手段２３により払い出された遊技球を上皿７へと案内し、また上皿７の遊技球が満杯状態のときに、余剰球を下皿８へと案内するようになっている。
【００２０】
裏カバー１９は、遊技盤４に装着された特別図柄表示手段１３等の遊技部品を裏側から覆うためのもので、遊技盤４の裏側に着脱自在に固定されている。裏カバー１９には、主に遊技盤側の遊技動作を制御する主制御基板２５を格納する主基板ケース２６と、遊技盤４や前枠３の前側等に設けられたランプ群の発光制御を行うランプ制御基板２７を格納するランプ基板ケース２８と、スピーカからの効果音等の出力を制御する音声制御基板２９を格納する音声基板ケース３０とが着脱自在に装着されている。
【００２１】
主制御基板２５上には、遊技者に有利な特定遊技状態或いは特別遊技状態を発生させるか否かを抽選する抽選手段、その抽選手段による抽選結果に基づいて特別図柄始動手段１５や可変入賞手段１７の駆動制御を行うと共に払い出し制御手段に対して賞球の払い出しを要求する入賞処理手段、ランプ制御基板２７等の他の制御基板に対して制御コマンドを送信するコマンド送信手段、賞球払い出し信号や図柄制御信号等の遊技状態に関する情報やＲＯＭ内の情報等を所定のコネクタを介して外部に出力するための情報出力手段等を備えた主制御手段が設けられている。
【００２２】
通路ユニット２４の裏側には、左右方向にケース取り付け板３１が装着され、このケース取り付け板３１の裏側に、払い出し制御基板３２を格納する払い出し基板ケース３３と、電源基板３４を格納する電源基板ケース３５とが左右に配置されている。払い出し制御基板３２上には、可変入賞手段１７等への遊技球の入賞に基づいて払い出し手段２３を制御する払い出し制御手段が設けられている。
【００２３】
主基板ケース２６は、図３〜図７等に示すように全体として略矩形状の偏平箱状であって、その内部の基板格納領域４５に主制御基板２５が格納され、主制御基板２５の電気部品装着面、即ち表面側を覆う第２ケース体４２と、主制御基板２５の裏面側を覆う第１ケース体４１とを互いに係脱自在に備えると共に、その背面側の一辺に沿って封止ユニット４３が設けられ、これら第１ケース体４１、第２ケース体４２、封止ユニット４３を含む全体が透明な合成樹脂材料により成形されている。
【００２４】
主制御基板２５は矩形状であって、図７等に示すように、中央部分にＣＰＵ，ＲＯＭ，ＲＡＭ等の電気部品４６が装着され、周縁部分にその端縁に沿って常用コネクタ４７が装着されている。これら常用コネクタ４７は、払い出し制御基板３２、ランプ制御基板２７等の他の基板と接続ケーブルを介して電気的に接続するためのもので、通常使用状態では接続ケーブル側のコネクタが主基板ケース２６の外側から接続された状態となっている。
【００２５】
また、主制御基板２５には、それら常用コネクタ４７とは別の検査用コネクタ４８が、例えば常用コネクタ４７の内側に隣接して１又は複数、例えば１つ設けられている。検査用コネクタ４８は、通常使用状態では使用されず、例えば主制御基板２５から賞球数や図柄制御信号等の遊技状態を示す情報を取り出しつつ検査を行うような場合にのみ、外部コネクタが接続されて使用されるようになっている。更に、主制御基板２５の周縁部分には、位置決め孔４９が複数、例えば２つ形成されている。
【００２６】
第２ケース体４２は、図４及び図６に示すように、主制御基板２５の表面側に対応する表板部５１と、主制御基板２５の三辺、例えば左右及び上側を取り囲む周壁部５２，５３，５４とを一体に備え、主制御基板２５の裏面側に対応する面、及び残りの一辺側の面はその略全面が開放されて夫々開口５５，５６を形成している。表板部５１、左右の周壁部５２，５３の開口５６側縁部には、開口５６側に突出する所定幅の嵌合リブ５６ａが一体に設けられている。
【００２７】
左右の周壁部５２，５３には、その開口５５側縁部に、裏カバー１９に沿って外側に張り出す係合板部５７が一体に設けられており、この係合板部５７を、裏カバー１９の裏面側に上下方向に設けられた左右一対の係合レール５８に上側から係脱自在に係合させることにより、第２ケース体４２を裏カバー１９側に装着するようになっている。
【００２８】
表板部５１には、その内部の主制御基板２５との間に電気部品４６の収容空間を確保できるように主制御基板２５の表面側に向けて膨出する膨出部６１が形成されると共に、周壁部５２，５３，５４に沿って膨出部６１よりも低い段部６２が形成されている。
【００２９】
段部６２には、主制御基板２５側の常用コネクタ４７が内側から嵌脱自在に嵌合するコネクタ嵌合孔６３が１又は複数設けられており、またそのコネクタ嵌合孔６３を避けて、膨出部６１と同じ方向に突出する突出部６４が複数形成されている。これら突出部６４のうちの複数、例えば２つには、その内面側に、主制御基板２５側の位置決め孔４９に嵌合する位置決め突起６５が主制御基板２５側に向けて突設されている。位置決め突起６５は、その先端部が段部６２の内面側よりも主制御基板２５側に突出している。
【００３０】
膨出部６１の周縁部分には、段部６２側から基板格納領域４５の内部側に向けて凹入する凹入部６６が、主制御基板２５側の検査用コネクタ４８に対応して設けられている。凹入部６６の底壁部６７は、主制御基板２５を主基板ケース２６に装着したときに検査用コネクタ４８の上面４８ａ側に近接するように、例えば膨出部６１と段部６２との中間的な高さに形成されている。
【００３１】
凹入部６６の底壁部６７には、検査用コネクタ４８に対応する矩形状の開口部６８と、この開口部６８を開閉可能に閉鎖する蓋体６９とが設けられている。開口部６８は、図１１（ｃ）に示すように、検査用コネクタ４８に接続する外部コネクタ７０を挿通可能で且つその外部コネクタ７０によって略閉鎖される大きさに形成されている。
【００３２】
蓋体６９は、開口部６８を底壁部６７の内側から完全に覆う大きさに形成され且つその下部側に左右方向に設けられたヒンジ６９ｃによって底壁部６７の内面側に回動自在に装着される矩形板状の本体部６９ａと、この本体部６９ａの片面側に膨出状に設けられ且つ本体部６９ａで開口部６８を閉鎖したときに底壁部６７の内側から開口部６８に嵌合する嵌合部６９ｂとを一体に備えている。嵌合部６９ｂは、開口部６８に内側から嵌合したときにその外面側が底壁部６７の外面側と面一状になるように形成されている。
【００３３】
また、蓋体６９は、開口部６８を閉鎖した状態で、主基板ケース２６の内側から例えばビス等の締結手段７１により第２ケース体４２側に係脱可能に固定されるようになっている。これにより、開口部６８は、主基板ケース２６を開いた状態で第２ケース体４２の内側からドライバ等の工具を用いて締結手段７１による締結を解除し、蓋体６９を主基板ケース２６の内側に向けて回動させることによってのみ開放することが可能であり、主基板ケース２６の外側からは開放することができないようになっている。
【００３４】
第１ケース体４１は、図５及び図６に示すように、裏板部８１と底板部８２とを一体に備えた断面略Ｌ形に形成されている。
【００３５】
裏板部８１は、第２ケース体４２の開口５５に嵌合して主制御基板２５の裏面側を覆うもので、開口５５の内側に嵌合する矩形板状の平板部８３と、この平板部８３の周囲を取り囲むように設けられ且つ裏カバー１９側に突設する周板部８４と、平板部８３の左右の縁部に沿って設けられ且つ主制御基板２５側に突出する一対の支持リブ８５とを一体に備えている。また、周板部８４には、第２ケース体４２側の周壁部５４に対応する側に、周壁部５４側の嵌合孔８６に内側から嵌合する嵌合突部８７が一体に設けられている。
【００３６】
底板部８２は、第２ケース体４２の開口５６に嵌合して主制御基板２５を下側から覆うもので、裏板部８１の下縁部に沿って一体に設けられ、開口５６に対応して略凸形に形成されている。
【００３７】
第１ケース体４１と第２ケース体４２とを結合する際には、図６に示すように、第２ケース体４２内に開口５６側から主制御基板２５を挿入し、位置決め孔４９を位置決め突起６５に、常用コネクタ４７を各コネクタ嵌合孔６３に夫々嵌合させつつ、主制御基板２５の表面側周縁部を段部６２の内面側に当接させる。そして、第１ケース体４１側の嵌合突部８７を第２ケース体４２側の嵌合孔８６に内側から嵌合させた後、第１ケース体４１側の底板部８２を第２ケース体４２側の嵌合リブ５６ａに内側から嵌合させ、後述する封止手段９１で封止すればよい。このとき、内部の主制御基板２５は、その周縁部分を第２ケース体４２側の段部６２と第１ケース体４１側の支持リブ８５とで表裏から挟まれた状態で支持される。
【００３８】
封止ユニット４３は、図３に示すように、第２ケース体４２側の膨出部６１の上面板９０と第１ケース体４１側の底板部８２との境界線に沿って、主基板ケース２６の内側の基板格納領域４５側に設けられており、４個の封止手段９１を横一列状に備えている。封止ユニット４３が４個の封止手段９１を備えていることにより、最大４回までの開封、封止が可能となっている。
【００３９】
各封止手段９１は、第２ケース体４２側のピン保持部９２と、このピン保持部９２内に装着される封止ピン９３と、第１ケース体４１側のピン嵌合部９４とを備えている。ピン保持部９２は、図４に示すように、第２ケース体４２側の膨出部６１の開口５６側縁部に沿って設けられた矩形状の凹入部９５内に所定の隙間を空けて横一列状に配置され、ピン嵌合部９４は、図５に示すように、第１ケース体４１側の底板部８２の内面側に突設された嵌合支持部９７上に設けられている。
【００４０】
ピン保持部９２は、図４、図９、図１０等に示すように、角形の枠状に形成され、その軸方向下端部側（基板格納領域４５の内部側）には封止ピン９３が通過可能なピン装着開口部１０１が、軸方向上端部側（基板格納領域４５の外部側）には封止ピン９３が通過不可能な操作開口部１０２が夫々形成されている。
【００４１】
ピン保持部９２の左右の側壁部分には、図１０に示すように、ピン装着開口部１０１側端部から操作開口部１０２側に向けて夫々２本のスリットが設けられ、それら２本のスリット間に、ピン装着開口部１０１側端部をピン保持部９２の外側方向に弾性変形可能な係合部１０４が形成されている。それら一対の係合部１０４には、ピン装着開口部１０１側端部近傍に、互いに対向する係合爪１０５が一体に設けられている。係合爪１０５は、その上面側に上面板９０と略平行な係止面１０５ａを、その下面側に内側上向きに傾斜する案内面１０５ｂを夫々備えている。
【００４２】
ピン保持部９２の上端側には、側壁側から操作開口部１０２側に突出する一対の案内支持部１０６が一体に設けられており、それらの対向部分には、封止ピン９３側の被操作部をピン保持部９２の軸方向に摺動自在に保持する略円形の案内孔１０７が形成されている。また、ピン保持部９２の上端側には、上向きに突出する一対の保護リブ１０８が一体に設けられている。
【００４３】
ピン保持部９２が配置される凹入部９５には、その三方の縁部に沿って、主制御基板２５側に突設する囲い板９５ａが一体に設けられている。この囲い板９５ａは、その内側に配置されるピン保持部９２の下端部よりも若干下方まで延設されている。また、上面板９０には、凹入部９５を三方から取り囲む門形状の保護リブ１１３が、ピン保持部９２側の保護リブ１０８と略同じ高さに立設されている。
【００４４】
凹入部９５内に配置された各ピン保持部９２は、その保護リブ１０８とこれに対向する保護リブ１１３との間を一体に接続する切断部１１５により第２ケース体４２側に固定されている。
【００４５】
左右に隣接する各ピン保持部９２の間隔、及び左右両端のピン保持部９２とそれに隣接する囲い板９５ａとの間隔は、係合部１０４を外側に変形させて係合爪１０５をピン装着開口部１０１から退避させることができる程度に狭く形成されている。
【００４６】
封止ピン９３は、ピン保持部９２側からピン嵌合部９４側に貫通して、両者を封止状態で結合するためのもので、ピン装着開口部１０１側からピン保持部９２内に装着されている。封止ピン９３は、断面矩形状の軸部１２１と、軸部１２１の上端側の係合鍔部１２２と、軸部１２１の下端側の台形状の嵌合頭部１２３と、係合鍔部１２２から上側に突出する円柱状の被操作部１２４と、軸部１２１の左右側面に突出する突起部１２５とを備え、適当な弾性を有する合成樹脂材料により一体に成形されている。
【００４７】
軸部１２１は、左右方向に偏平な断面矩形状に形成されており、その左右幅はピン保持部９２側の一対の係合爪１０５の内幅と略同じか若干小さく形成されている。
【００４８】
係合鍔部１２２は、封止ピン９３をピン保持部９２から脱落しないように保持するためのもので、封止ピン９３の長手方向に対して略垂直に突出し且つピン保持部９２の内部に摺動自在に嵌合する角形状に形成されている。この係合鍔部１２２は、係止爪１０５の係止面１０５ａに係合してピン保持部９２からの脱落を阻止するようになっている。
【００４９】
嵌合頭部１２３は、例えば図９及び図１０に示すように、係合鍔部１２２が係止爪１０５の係止面１０５ａに当接した状態で、ピン保持部９２のピン装着開口部１０１から下側に突出して第１ケース体４１側のピン嵌合部９４に上側から嵌合し、ピン嵌合部９４の下側に離脱不能に係合するようになっている。また、この嵌合頭部１２３は、係合鍔部１２２をピン保持部９２の操作開口部１０２側に当接させた状態では、ピン保持部９２内に完全に収容されるようになっている。
【００５０】
以下の説明では、係合鍔部１２２が係止爪１０５の係止面１０５ａに当接して嵌合頭部１２３がピン保持部９２のピン装着開口部１０１から下側に突出した状態を「突出状態」、嵌合頭部１２３をピン保持部９２内に収容した状態を「収容状態」という。
【００５１】
突起部１２５は、嵌合頭部１２３をピン保持部９２内に収容した収容状態で封止ピン９３を保持するためのもので、封止ピン９３の長手方向に対して略垂直に突出するように軸部１２１の左右側面に一体に設けられ、封止ピン９３が収容状態となったときに係合爪１０５の係止面１０５ａ側に係脱自在に係合し、封止ピン９３をその状態で保持するようになっている。なお、突起部１２５は、係合爪１０５の上側に極弱く係合するように、封止ピン９３の長手方向に略垂直な方向の突出量が係合鍔部１２２に比べて小さくなるように形成されており、封止ピン９３を下向きに軽く押し下げるだけで、係合部１０４の外向きの弾性変形を殆ど伴うことなくその係合を解除することができるようになっている。
【００５２】
被操作部１２４は、封止ピン９３を収容状態から突出状態に移行させる際にピン保持部９２の外側から押圧操作するためのものであって、係合鍔部１２２から上側に突出して設けられ、案内孔１０７に下側から摺動自在に嵌合している。被操作部１２４は、封止ピン９３が突出状態にあるときでもその上端部が案内孔１０７に嵌合した状態が維持され、且つ封止ピン９３が収容状態にあるときでもその上端部が保護リブ１０８の上側に突出しない長さに形成されている。
【００５３】
なお、封止ピン９３は、ピン保持部９２のピン装着開口部１０１側から、係合鍔部１２２の両端部を係止爪１０５の案内面１０５ｂに摺接させて係止部１０４を外向きに押し広げつつ押し込まれ、ピン保持部９２内に装着されている。
【００５４】
嵌合支持部９７は、図５、図６等に示すように、第２ケース体４２側の凹入部９５に対応する板状に形成され、主制御基板２５との間に十分な間隙をおいた位置で、第１ケース体４１の底板部８２の上部側から内側へと主制御基板２５と略平行に一体に突出しており、第１ケース体４１と第２ケース体４２とを結合したときに凹入部９５の囲い板９５ａの下部側に嵌合するようになっている。
【００５５】
嵌合支持部９７には、第１ケース体４１側のピン保持部９２に対応して４つのピン嵌合部９４が設けられている。各ピン嵌合部９４は、図６に示すように、封止ピン９３用の挿通スリット１３２と、この挿通スリット１３２の両側の一対の弾性係合部１３３とを備えており、この一対の弾性係合部１３３には、封止ピン９３側の嵌合頭部１２３を挿通スリット１３２側に案内する案内傾斜面１３４が設けられている。なお、各挿通スリット１３２の両側には逃げ用スリット１３５が形成されており、その隣り合うスリット１３２，１３５間が弾性係合部１３３となっている。
【００５６】
嵌合支持部９７の下面側には、各ピン嵌合部９４の両側に位置する複数個の補強リブ１３６が、底板部８２の内面側にわたって一体に設けられている。また、嵌合支持部９７の上面側には、第２ケース体４２側の各ピン保持部９２の左右の隙間に嵌合して封止する封止リブ１３７が、各ピン嵌合部９４の両側に立設されている。
【００５７】
封止手段９１を用いて主基板ケース２６を封止する際には、ドライバー等の工具の先端を封止ピン９３の被操作部１２４の先端に当てて下方に押圧する。すると、封止ピン９３は、突起部１２５と係合爪１０５との係合が解除されてピン装着開口部１０１側に移動し、嵌合頭部１２３が弾性係合部１３３を両側に押し広げながら挿通スリット１３２内に嵌合する。
【００５８】
そして、封止ピン９３の係合鍔部１２２が係合爪１０５の係止面１０５ａに当接すると、嵌合頭部１２３が挿通スリット１３２を通過して弾性係合部１３３の下側に係合し、封止ピン９３の係合鍔部１２２と嵌合頭部１２３とでピン保持部９２側の係合爪１０５と嵌合支持部９７とを上下両側から挟み、ピン嵌合部９４で封止ピン９３を離脱不能に係止した状態となる。
【００５９】
パチンコ機をホール等に設置した後に、主制御基板２５の検査等を行う場合には、ニッパー等の切断具を用いて、封止状態となっている封止手段９１の切断部１１５を切断する。すると、この封止手段９１のピン保持部９２が第２ケース体４２から分離されるので、第１ケース体４１が第２ケース体４２から離脱可能になり、主基板ケース２６を開放できる。
【００６０】
主制御基板２５の検査後に主基板ケース２６を再封止する場合には、再度第１ケース体４１を第２ケース体４２に装着し、残る封止手段９１のうちの１個を用いて主基板ケース２６を封止すればよい。なお、検査後は、第２ケース体４２側の例えば表板部５１等に貼付された記録紙にその検査履歴を記載する。
【００６１】
また、主制御基板２５から賞球数や図柄制御信号等の遊技状態を示す情報を取り出しつつ検査を行うような場合には、まず封止手段９１による封止を解除して主基板ケース２６を開放し、第２ケース体４２から主制御基板２５を取り外した状態で、第２ケース体４２の内側からドライバ等の工具を用いて締結手段７１による締結を解除し、蓋体６９を内向きに回動させて開口部６８を開放する（図１１（ａ））。そして、第２ケース体４２に主制御基板２５を装着し、第１ケース体４１を結合して封止した後（図１１（ｂ））、検査装置等に接続された外部コネクタ７０を、第２ケース体４２の外側から開口部６８を介して検査用コネクタ４８に接続する（図１１（ｃ））。
【００６２】
検査の終了後は、以上とは逆の手順で元の状態に戻せばよい。即ち、外部コネクタ７０を検査用コネクタ４８から取り外し、封止を解除して主基板ケース２６を開放し、開口部６８を蓋体６９で閉鎖して締結手段７１で締結した後、主基板ケース２６を閉じて再封止すればよい。
【００６３】
以上説明したように、本実施形態では、基板ケース２６に、開口部６８と、該開口部６８を開閉可能に閉鎖する蓋体６９とを備えているため、基板ケース２６による基板の保護機能を犠牲にすることなく、基板ケース２６を閉じた状態で、通常は使用しない検査用コネクタ４８等に外部コネクタ７０を接続することが可能となり、例えば主制御基板２５から検査用の情報を外部に取り出す場合などに対応できる。
【００６４】
また、基板ケース２６は、該基板ケース２６を封止する封止手段９１を備え、蓋体６９は、基板ケース２６の内側からのみ開閉可能に構成されているため、封止を解除することなく蓋体６９を開放することができない。これにより、開口部６８から内部の主制御基板２５に対するいたずら行為などを未然に防止でき、開口部６８を備えていない従来の基板ケースと同等のセキュリティが確保できる。
【００６５】
蓋体６９を、開口部６８を閉鎖した状態で基板ケース２６側に締結可能に構成しているため、開口部６８をより確実に閉鎖することができ、またこの締結を基板ケース２６の内側からのみ解除可能とすれば、より高いセキュリティが確保できる。
【００６６】
開口部６８を、主制御基板２５上の検査用コネクタ４８に対応して設け、外部コネクタ７０を基板ケース２６の外側から開口部６８を介して主制御基板２５上の検査用コネクタ４８に接続可能としているため、外部コネクタ７０の検査用コネクタ４８への着脱が容易であり、また主制御基板２５上の主要構成部分が開口部６８から外れるため、基板の保護の観点からも有利である。
【００６７】
開口部６８を、外部コネクタ７０によって略閉鎖される大きさ、即ち必要最小限の大きさに形成しているため、開口部６８を開放した状態でのセキュリティの低下を最小限に抑えることができる。
【００６８】
基板ケース２６は第１ケース体４１と第２ケース体４２とを備え且つ少なくともその一部が透明な材料で構成され、第２ケース体４２が主制御基板２５の表面側を、第１ケース体４１が主制御基板２５の裏面側を夫々略覆うように構成され、第２ケース体４２側に開口部６８を設けているため、基板ケース２６側、主制御基板２５側の双方の構成を簡略化できると共に、主制御基板２６を主基板ケース２６の外側から容易に透視できる。
【００６９】
図１２は本発明の第２の実施形態を例示し、蓋体６９を底壁部６７に沿ってスライドさせて開口部６８を開閉するようにした例を示している。第２ケース体４２には、底壁部６７の膨出部６１側縁部を底壁部６７と略同じ長さに延設した底壁延設部１４１が一体に設けられている。底壁部６７から底壁延設部１４１にかけての内面側には、開口部６８の両側に沿って一対のレール部１４２が例えば着脱自在に固定されている。
【００７０】
蓋体６９は、開口部６８を完全に閉鎖可能な大きさに形成され且つその両側縁部がレール部１４２によって摺動自在に支持される矩形板状の本体部６９ｄと、本体部６９ｄの例えば開放側縁部に沿って設けられ且つ本体部６９ｄの内面側に突出する開閉レバー部６９ｅとを一体に備え、開閉レバー部６９ｅを操作してレール部１４２に沿って摺動させることにより開口部６８を開閉可能となっている。
【００７１】
また、蓋体６９は、開口部６８を閉鎖した状態で、主基板ケース２６の内側から例えばビス等の締結手段７１により第２ケース体４２側に固定されるようになっている。これにより、開口部６８は、主基板ケース２６を開いた状態で第２ケース体４２の内側からドライバ等の工具を用いて締結手段７１による締結を解除し、蓋体６９をレール部１４２に沿ってスライドさせることによってのみ開放することが可能であり、主基板ケース２６の外側からは開放することができないようになっている。
【００７２】
以上のようにスライド開閉式の蓋体６９を用いた場合にも、第１の実施形態と同様の効果が期待できる。
【００７３】
図１３は本発明の第３の実施形態を例示し、蓋体６９を第２ケース体４２に対して着脱することにより開口部６８を開閉するようにした例を示している。図１３に示すように、蓋体６９は、開口部６８を底壁部６７の内側から完全に覆う大きさに形成された矩形板状の本体部６９ａと、この本体部６９ａの片面側に膨出状に設けられ且つ本体部６９ａで開口部６８を閉鎖したときに底壁部６７の内側から開口部６８に嵌合する嵌合部６９ｂとを一体に備えている。嵌合部６９ｂは、開口部６８に内側から嵌合したときにその外面側が底壁部６７の外面側と面一状になるように形成されている。
【００７４】
また、蓋体６９は、開口部６８を閉鎖した状態で、例えばその四隅近傍において主基板ケース２６の内側から例えばビス等の締結手段７１により第２ケース体４２側に着脱可能に固定されるようになっている。これにより、開口部６８は、主基板ケース２６を開いた状態で第２ケース体４２の内側からドライバ等の工具を用いて締結手段７１による締結を解除し、蓋体６９を主基板ケース２６の内側から取り外すことによってのみ開放することが可能であり、主基板ケース２６の外側からは開放することができないようになっている。
【００７５】
以上のように着脱式の蓋体６９を用いた場合にも、第１の実施形態と同様の効果が期待できる。
【００７６】
図１４は本発明の第４の実施形態を例示し、第１ケース体４１と第２ケース体４２とを、封止ピン９３ではなく封止ネジを用いて封止するようにした例を示している。本実施形態における封止手段９１は、第１ケース体４１側のネジ螺合部１５１と、第２ケース体４２側のネジ挿通部１５２と、このネジ挿通部１５２側からネジ螺合部１５１側に離脱不能に螺合する封止ネジ１５３とを備えている。
【００７７】
ネジ挿通部１５２は、第１の実施形態におけるピン保持部９２と同様、凹入部９５内に４個ずつ配置されており、切断部１１５によって第２ケース体４２側に固定されている。各ネジ挿通部１５２は、図１５に示すように、封止ネジ１５３の挿通孔１５４を有し、その外側に封止ネジ１５３用の保護筒部１５５が一体に形成され、全体として円筒状に形成されている。
【００７８】
封止ネジ１５３はタッピング式の一方向ネジであって、頭部１５３ａ側に一方向係合溝１５６が、軸部１５３ｂ側の螺旋条１５７に切り欠き部１５８が夫々設けられており、一方向係合溝１５６に係合するドライバー等の工具により締め付け方向の一方向にのみ操作できるようになっている。
【００７９】
ネジ螺合部１５１は、第１ケース体４１側の底板部８２の内面側に突設された嵌合支持部９７上に、ネジ挿通部１５２に対応して設けられている。嵌合支持部９７は、第２ケース体４２側の凹入部９５に対応する形状であり、第１ケース体４１と第２ケース体４２とを結合した状態で、その上面側がネジ挿通部１５２の下端側に略当接するようになっている。各ネジ螺合部１５１は、図１５に示すように、嵌合支持部９７の上面側から下面側に向けて設けられ且つ下面側に貫通しない封止ネジ１５３用の螺合孔１５９を備えている。
【００８０】
主基板ケース２６を封止する際には、封止に使用する所定の封止手段９１の封止ネジ１５３の頭部１５３ａにドライバー等の工具を係合させて、この封止ネジ１５３をネジ挿通部１５２からネジ螺合部１５１に螺合させて締結する。このとき、封止ネジ１５３はタッピング式の一方向ネジであるため、この封止ネジ１５３を工具により締め付け方向に操作すれば、その軸部１５３ｂがネジ挿通部１５２の挿通孔１５４からネジ螺合部１５１の螺合孔１５９に離脱不能に螺合し、ネジ挿通部１５２とネジ螺合部１５１とを容易に締結できる。
【００８１】
開封時の操作については第１の実施形態と同様である。即ち、ニッパー等の切断具を用いて、封止状態となっている封止手段９１を支持している切断部１１５を切断すればよい。すると、この封止手段９１のネジ挿通部１５２が第２ケース体４２から分離されるので、第１ケース体４１が第２ケース体４２から離脱可能になり、主基板ケース２６を開放できる。
【００８２】
このように、封止ピン９３ではなく例えば一方向ネジ等の封止ネジ１５３を備えた封止手段９１を用いた場合でも、第１の実施形態と同様の効果が期待できる。
【００８３】
以上、本発明の実施形態について説明したが、本発明はこの実施形態に限定されるものではない。例えば、払い出し制御手段を備えた払い出し制御基板３２を格納する払い出し基板ケース３３を、実施形態で例示した主基板ケース２６と同様の構成としてもよい。また、特別図柄表示手段１３への図柄表示やその他の画像表示を制御する画像表示制御手段を備える画像表示制御基板等、その他の基板を格納する基板ケースを実施形態で例示した主基板ケース２６と同様の構成としてもよい。
【００８４】
例えば、主基板ケース２６と払い出し基板ケース３３とを実施形態で例示した主基板ケース２６と同様の構成とし、主制御基板２５側の検査用コネクタ４８から賞球払い出し指令を、払い出し制御基板３２側の検査用コネクタ４８から賞球払い出し個数を夫々取り出せば、両者が一致しているか否かを外部でチェックすることができ、例えば不正の有無を検査することができる。
【００８５】
同様に、主基板ケース２６と画像基板ケースとを実施形態で例示した主基板ケース２６と同様の構成とし、主制御基板２５側の検査用コネクタ４８から図柄制御指令を、画像表示制御基板側の検査用コネクタ４８から表示信号を夫々取り出せば、両者が一致しているか否かを外部でチェックすることができ、例えば不正の有無を検査することができる。
【００８６】
開口部６８を閉鎖した状態で蓋体６９を第２ケース体４２側に締結する締結手段７１としては、工具を用いて締緩操作するビス等に限られるものではなく、例えば第２ケース体４２側に回動自在に装着され、閉鎖状態の蓋体６９を内側から保持する締結レバー等を用いてもよい。締結手段７１は、基板ケース２６内の基板の保護やセキュリティの観点から、基板ケース２６の外側から操作できないものであることが望ましい。
【００８７】
開口部６８は、必ずしも検査用コネクタ４８の外側に対応して設ける必要はなく、検査用コネクタ４８と基板ケース２６との間に外部コネクタ７０を収容可能な空間が確保されていれば、検査用コネクタ４８から離れた位置に設けてもよい。この場合でも、開口部６８は外部コネクタ７０が通過可能な大きさとする必要があるが、外部コネクタ７０を検査用コネクタ４８に装着した状態では開口部６８は接続ケーブルの配設経路となる。
【００８８】
開口部６８は、基板の表面側に対向して設ける必要はなく、例えば第２ケース体４２の周壁部５２，５３，５４等に設けてもよい。この場合には、検査用コネクタ４８を基板の板面方向に向けて設置するなどして、検査用コネクタ４８を開口部６８側に向けて配置することが望ましい。
【００８９】
第１ケース体４１と第２ケース体４２とは、互いに主制御基板２５の板面方向にスライドさせて結合するように構成してもよい。
【００９０】
基板ケース２６は、第１ケース体４１と第２ケース体の他に第３のケース体を備え、その第３のケース体を第１ケース体４１と第２ケース体との間に介在するように構成しても良い。また基板ケース２６は、その一部を透明な材料で構成すれば良く、必ずしも封止手段９１等を含む全体を透明な合成樹脂材料で構成する必要はない。
【００９１】
封止ピン９３、ピン保持部９２等は、角形に構成する他、丸形に構成することも可能である。封止ユニット４３は２組以上設けてもよい。また、各封止ユニット４３における封止手段９１の個数は任意である。
【００９２】
更に、実施形態ではパチンコ機を例に挙げて説明したが、アレンジボール機、雀球遊技機等のその他の弾球遊技機、或いは回胴式遊技機等の各種遊技機で同様に実施可能であることは言うまでもない。
【００９３】
【発明の効果】
本発明によれば、電気部品４６が装着された基板２５，３２と、該基板２５，３２を格納する基板ケース２６，３３とを備えた遊技機において、基板ケース２６，３３に、基板２５，３２の着脱時に開閉される開口５５，５６とは異なる開口部６８と、ヒンジ６９ｃにより基板ケース２６，３３に揺動自在に支持され且つ開口部６８を基板ケース２６，３３の内側から開閉可能に閉鎖する蓋体６９と、基板ケース２６，３３を封止する封止手段９１とを備え、開口部６８を、基板２５，３２上の所定のコネクタ４８に対応して設け、外部コネクタ７０を基板ケース２６，３３の外側から開口部６８を介して基板２５，３２上の所定のコネクタ４８に接続可能とし、蓋体６９は、基板ケース２６，３３を開いた状態でのみ開閉可能であって基板ケース２６，３３を閉じた状態では所定のコネクタ４８と干渉して外部コネクタ７０を接続可能な状態まで開放できないように構成されているため、基板ケース２６，３３による基板の保護機能を犠牲にすることなく、基板ケース２６，３３を閉じた状態で、通常は使用しない検査用コネクタ４８等に外部コネクタ７０を接続することが可能となる。
【図面の簡単な説明】
【図１】本発明の第１の実施形態を示すパチンコ機の正面図である。
【図２】本発明の第１の実施形態を示すパチンコ機の背面図である。
【図３】本発明の第１の実施形態を示すパチンコ機の主基板ケース近傍の拡大背面図である。
【図４】本発明の第１の実施形態を示す第２ケース体の正面図である。
【図５】本発明の第１の実施形態を示す第１ケース体の正面図である。
【図６】本発明の第１の実施形態を示す第１ケース体及び第２ケース体の縦断面図である。
【図７】本発明の第１の実施形態を示す主基板ケースの縦断面図である。
【図８】本発明の第１の実施形態を示す開口部、蓋体近傍の縦断面図及び正面図である。
【図９】本発明の第１の実施形態を示す封止ユニットの縦断面図である。
【図１０】本発明の第１の実施形態を示す封止ユニットの横断面図である。
【図１１】本発明の第１の実施形態を示す検査用コネクタへの外部コネクタの接続手順の説明図である。
【図１２】本発明の第２の実施形態を示す開口部、蓋体近傍の縦断面図及び正面図である。
【図１３】本発明の第３の実施形態を示す開口部、蓋体近傍の縦断面図及び正面図である。
【図１４】本発明の第４の実施形態を示す封止手段の拡大断面図である。
【符号の説明】
２３    払い出し手段
２５    主制御基板
２６    主基板ケース
３２    払い出し制御基板
３３    払い出し基板ケース
４１    第１ケース体
４２    第２ケース体
４６    電気部品
４８    検査用コネクタ
５５    開口
５６    開口
６８    開口部
６９    蓋体
７０    外部コネクタ
９１    封止手段
【図１】
0003953287.tif 000002
【図２】
0003953287.tif 000003
【図３】
0003953287.tif 000004
【図４】
0003953287.tif 000005
【図５】
0003953287.tif 000006
【図６】
0003953287.tif 000007
【図７】
0003953287.tif 000008
【図８】
0003953287.tif 000009
【図９】
0003953287.tif 000010
【図１０】
0003953287.tif 000011
【図１１】
0003953287.tif 000012
【図１２】
0003953287.tif 000013
【図１３】
0003953287.tif 000014
【図１４】
0003953287.tif 000015